(57)【要約】【課題】通常の状態が可動キャビネットの移動阻止状態であり、使用者が解除操作することにより、可動キャビネットの移動を可能とするスライド型キャビネットの安全装置を提供する。【解決手段】フロントデッキ３における、可動キャビネット２の下面が移動する領域のうち、固定キャビネット１の出入面６に接近する側にて、前記移動方向に延びるストッパ体２０が出没可能で、且つ付勢ばねにより通常ではストッパ体２０が突出状態であって、可動キャビネット２の移動方向端面にストッパ体２０が当接可能となり、作業者がストッパ体２０を押下して，そのストッパ体２０が没しているときには、当該ストッパ体２０の上方を可動キャビネット２が通過可能に構成されている。【選択図】図１
2010279645.tif 000002
【特許請求の範囲】
【請求項１】
出入面を前面に向けた複数の固定キャビネットを横方向に列設し、その前方のフロントデッキ上に複数の可動キャビネットを前記出入面と平行な横方向にスライド移動可能に設け、任意の可動キャビネットの移動により任意の固定キャビネットの各出入面を出現させる作業空間が形成可能に構成されてなるスライド型キャビネットであって、
前記フロントデッキには、前記可動キャビネットの下面が移動する領域のうち、前記固定キャビネットの出入面に接近する側にて出没可能なストッパ体が設けられ、
通常では前記ストッパ体が突出状態であって、前記可動キャビネットの移動方向端面に前記ストッパ体が当接可能となり、
作業者が前記ストッパ体を押下して、そのストッパ体が没しているときには、当該ストッパ体の上方を可動キャビネットが通過可能に構成されていることを特徴とするスライド型キャビネットの安全装置。
【請求項２】
前記フロントデッキには、前記ストッパ体をその突出方向に付勢するための弾力付勢手段が、配置されている請求項１に記載のスライド型キャビネットの安全装置。
【請求項３】
前記ストッパ体は、前記可動キャビネットの移動方向に沿って延び、且つその延びる方向の寸法は前記任意の固定キャビネットの各出入面の横方向の寸法より短く形成されていることを特徴とする請求項１または２に記載のスライド型キャビネットの安全装置。
【請求項４】
前記ストッパ体は、それにおける前記可動キャビネットの移動方向端面への当接面が前記フロントデッキの上面に対して出没可能となるように横軸を介して回動可能に設けられ、
前記ストッパ体は、前記横軸を挟んで前記当接面側と反対側の部位の重量による回転モーメントを、前記当接面側の部位の重量による回転モーメントよりも大なるように形成されている請求項１に記載のスライド型キャビネットの安全装置。
【請求項５】
前記ストッパ体は、前記各固定キャビネットの出入面を開放する個所ごとに配置されていることを特徴とする請求項１乃至４のいずれかに記載のスライド型キャビネットの安全装置。
【発明の詳細な説明】
【技術分野】
【０００１】
本発明は、スライド型キャビネットの安全装置に係わり、更に詳しくは固定キャビネットの前方に配した可動キャビネットを移動させたときに、任意の固定キャビネットの前方に出現させた作業空間を安全に確保するための安全装置に関する。
【背景技術】
【０００２】
従来、出入面を前面に向けて複数の固定キャビネットを横方向に列設し、その前方のフロントデッキ上に複数の可動キャビネットを横方向スライド移動可能に設け、任意の固定キャビネットの出入面を出現させるべく可動キャビネット間に作業空間を形成してなるスライド型キャビネットは各種提供されている。
【０００３】
これらのスライド型キャビネットは、任意の固定キャビネットの出入面を開放すべく、その前方で複数の可動キャビネットを横方向にスライド移動させて可動キャビネット間に作業空間を形成し、その作業空間内に使用者が入って目的の固定キャビネットに対して物品を出し入れするのであるが、作業空間内に入って物品の出し入れ作業中であることを知らずに他者が可動キャビネットを移動させると、可動キャビネット間に先の使用者が挟まれてしまうといったおそれがある。
【０００４】
そこで、既に使用中において不用意に可動キャビネットが移動しないように、何らかのストッパー機構を設けることが提案されている。
【０００５】
その一例としての特許文献１では、出入面を前面に向けて複数の固定キャビネットを横方向に列設し、その前方のフロントデッキ上に複数の可動キャビネットを横方向スライド移動可能に設け、任意の固定キャビネットの出入面を出現させるべく可動キャビネット間に作業空間を形成してなるスライド型キャビネットにおいて、各固定キャビネットの出入面に対応するフロントデッキの内部前縁に沿ってシャフトを回転可能に配設し、該シャフトの中間部に前方へ突設したペダルをフロントデッキの前面の開口から突出させるとともに、該ペダルを踏みシャフトが回転した際にフロットデッキの上面から突出して可動キャビネットの作業空間側への移動を規制するように前記シャフトの両端又は一端にストッパーを設けた構成が開示されている。
【先行技術文献】
【特許文献】
【０００６】
【特許文献１】特開平１０−１４６２２５号公報（図１〜図６等参照）
【発明の概要】
【発明が解決しようとする課題】
【０００７】
しかしながら、特許文献１の構成では、ストッパーを出没操作するためのペダルがフロントデッキの前面の開口から突出しているため、フロントデッキの前面付近を通る通行者の足元がペダルに衝突して転倒するなどのおそれがあった。
【０００８】
また、特許文献１の構成では、可動キャビネットの間に入る前に、ペダルを踏んでストッパを突出状態に保持する必要があり、その操作を忘れると、または突出状態の保持ができないときには、使用者が可動キャビネットの間にはさまれてしまうという事故は回避できないのであった。
【０００９】
本発明は、上記の従来技術の欠点に鑑みなされたものであって、通常の状態が可動キャビネットの移動阻止状態であり、使用者が解除操作することにより、可動キャビネットの移動を可能とするスライド型キャビネットの安全装置を提供することを目的とするものである。
【課題を解決するための手段】
【００１０】
本発明のスライド型キャビネットの安全装置は、前述の課題解決のために、出入面を前面に向けた複数の固定キャビネットを横方向に列設し、その前方のフロントデッキ上に複数の可動キャビネットを前記出入面と平行な横方向にスライド移動可能に設け、任意の可動キャビネットの移動により任意の固定キャビネットの各出入面を出現させる作業空間が形成可能に構成されてなるスライド型キャビネットであって、前記フロントデッキには、前記可動キャビネットの下面が移動する領域のうち、前記固定キャビネットの出入面に接近する側にて出没可能なストッパ体が設けられ、通常では前記ストッパ体が突出状態であって、前記可動キャビネットの移動方向端面に前記ストッパ体が当接可能となり、作業者が前記ストッパ体を押下して，そのストッパ体が没しているときには、当該ストッパ体の上方を可動キャビネットが通過可能に構成されているものである。
【００１１】
請求項２に記載の発明は、請求項１に記載のスライド型キャビネットの安全装置において、前記フロントデッキには、前記ストッパ体をその突出方向に付勢するための弾力付勢手段が、配置されているものである。
【００１２】
請求項３に記載の発明は、請求項１または２に記載のスライド型キャビネットの安全装置において、前記ストッパ体は、前記可動キャビネットの移動方向に沿って延び、且つその延びる方向の寸法は前記任意の固定キャビネットの各出入面の横方向の寸法より短く形成されていることを特徴とする。
【００１３】
請求項４に記載の発明は、請求項１に記載のスライド型キャビネットの安全装置において、前記ストッパ体は、それにおける前記可動キャビネットの移動方向端面への当接面が前記フロントデッキの上面に対して出没可能となるように横軸を介して回動可能に設けられ、前記ストッパ体は、前記横軸を挟んで前記当接面側と反対側の部位の重量による回転モーメントを、前記当接面側の部位の重量による回転モーメントよりも大なるように形成されているものである。
【００１４】
請求項５に記載の発明は、請求項１乃至４のいずれかに記載のスライド型キャビネットの安全装置において、前記ストッパ体は、前記各固定キャビネットの出入面を開放する個所ごとに配置されているものである。
【発明の効果】
【００１５】
請求項１に記載の発明によれば、スライド型キャビネットにおけるフロントデッキには、可動キャビネットの下面が移動する領域のうち、固定キャビネットの出入面に接近する側にて出没可能なストッパ体が設けられ、通常では前記ストッパ体が突出状態であって、前記可動キャビネットの移動方向端面に前記ストッパ体が当接可能となり、作業者が前記ストッパ体を押下して，そのストッパ体が没しているときには、当該ストッパ体の上方を可動キャビネットが通過可能に構成されているものである。
【００１６】
従って、通常では前記ストッパ体が突出状態であって、前記可動キャビネットの移動方向端面に前記ストッパ体が当接可能であるので、作業者が知らないうちに、作業空間以外の位置にいる他者は可動キャビネットを移動させようとしても、不可能であり、作業空間内の作業者の安全を確実に確保することができる。逆に、作業者が意図的にストッパ体を踏み込んで、当該ストッパ体をフロントデッキの上面から大きく出ないように没するようにし、その状態で当該ストッパ体の上方を可動キャビネットを移動させることができるものである。
【００１７】
請求項２に記載の発明によれば、前記フロントデッキには、前記ストッパ体をその突出方向に付勢するための弾力付勢手段が、配置されているものであるから、格別なエネルギーを与えることなく、通常状態として前記ストッパ体を突出状態に保持でき、そのための構成も簡単となる。
【００１８】
請求項３に記載の発明によれば、前記ストッパ体は、前記可動キャビネットの移動方向に沿って延び、且つその延びる方向の寸法は前記任意の固定キャビネットの各出入面の横方向の寸法より短く形成されているものであるから、１つのストッパ体の突出だけで、作業空間の両側からの可動キャビネットの接近動を効果的に阻止できる。
【００１９】
前記ストッパ体は、それにおける前記可動キャビネットの移動方向端面への当接面が前記フロントデッキの上面に対して出没可能となるように横軸を介して回動可能に設けられ、前記ストッパ体は、前記横軸を挟んで前記当接面側と反対側の部位の重量による回転モーメントを、前記当接面側の部位の重量による回転モーメントよりも大なるように形成されているものであるから、ストッパ体を小型化できるという効果を奏するものである。
【００２０】
前記ストッパ体は、前記各固定キャビネットの出入面を開放する個所ごとに配置されているものであるから、任意の可動キャビネットの移動を簡単に阻止できる。
【図面の簡単な説明】
【００２１】
【図１】本発明に係るスライド型キャビネットに係り、（Ａ）は第１実施例の正面図、（Ｂ）は第１実施例の平面図である。
【図２】同じく第１実施例の側面図である。
【図３】同じくキャビネットの一部省略した要部側面図である。
【図４】（Ａ）は第１実施例のストッパ体の全体斜視図、（Ｂ）は同じく平面図、（ｃ）は同じく一部断面の正面図、（Ｄ）は同じく一部断面の側面図である。
【図５】同じくキャビネットの一部を省略したフロントデッキへのストッパ体の取付け状態を示す斜視図である。
【図６】第１実施例のストッパ体の作動状態を示す正面図である。
【図７】第１実施例のストッパ体の作動状態を示す要部拡大断側面図である。
【図８】第２実施例のストッパ体の作動状態を示す正面図である。
【図９】同じくキャビネットの一部を省略したフロントデッキへの第２実施例のストッパ体の作動状態示す斜視図である。
【図１０】第２実施例のストッパ体の作動状態を示す要部拡大図である。
【発明を実施するための形態】
【００２２】
次に本発明の実施形態を添付図面に基づき詳細に説明する。図１は、本発明に係るスライド型キャビネットの一例を示し、図中１は固定キャビネット、２は可動キャビネット、３はフロントデッキ、４は作業空間、５は安全装置をそれぞれ示している。
【００２３】
本発明に係るスライド型キャビネットは、出入面６を前面に向けて複数の固定キャビネット１を横方向に列設する一方、その前方のフロントデッキ３上に、複数の可動キャビネット２を横方向スライド移動可能に設けたものである。フロントデッキ３には、固定キャビネット１の列に沿って延びる１本のレール７が設けられ、レール７上を可動キャビネット２のベース９に設けた転子１０が転動する。各可動キャビネット２の上端に後向き突設したブラケットに取付けられた水平案内転子１１は、固定キャビネットの上端前面に固定され、当該固定キャビネット１の列に沿って延びる下向きコ字状の案内レール１２内に嵌合する。これにより、各可動キャビネット２は固定キャビネット１の前面との間に少なくとも前後移動を規制して横方向に案内する案内手段によってスライド移動可能となしている（図１、図２等参照）。
【００２４】
固定キャビネット１は、ユニット式となっており、それを側方に次々に連結して大型の収納キャビネットを構成するのである。また、可動キャビネット２は、固定キャビネット１と同様にユニット式となっており、それらの横幅は略同一に設定している。そして、通常は、可動キャビネット２は固定キャビネット１の個数より一つだけ少ない個数に設定することにより、２つの可動キャビネット２の間を広げた空間が一つの固定キャビネット１の横幅に相当する幅の作業空間４が形成されるようになっている。また、フロントデッキ３も固定キャビネット１に対応させてユニット式となっており、固定キャビネット１の個数と同じ個数のフロントデッキ３が固定キャビネット１の前方に配設されている。なお、フロントデッキ３の長手方向の一端または両端が室の壁と直交して接近するように配置されることにより、この壁面と、これに対峙する可動キャビネット３の側面と、固定キャビネット１の出入面６との間の３方が囲まれた空間が作業空間４となることもあるので、以下でいう作業空間４とはこれらを含む意味である。
【００２５】
図示したものは、固定キャビネット１が４つ、可動キャビネット２が３つの場合である。なお、固定キャビネット１は棚式で出入面６が開放したものが好ましいが、横引戸を設けても良く、また可動キャビネット２は棚式で前面に開き戸を設けたもの又は引出し式のものが好ましいが、特に収納構造は限定されない。
【００２６】
フロントデッキ３は、図３及び図５に示すように、固定キャビネット１の出入面６に直交する方向で、横方向に一定間隔で敷設された接地部材１３の上に組み立てて形成する。そして、当該フロントデッキ３は、前後に分割し、前フロントデッキ３Ａと後フロントデッキ３Ｂとの間に間隔を設けて連結部材１４にて連結するとともに、該間隔内に連結部材１４に固定されたレール７を配している。
【００２７】
そして、本発明の安全装置５は、フロントデッキ３における、可動キャビネット２の下面が移動する領域のうち、固定キャビネット１の出入面６に接近する側（出入面６に近い側）にて出没可能なストッパ体２０（３０）が設けられ、通常ではストッパ体２０（３０）が突出状態であって、可動キャビネット２の移動方向端面にストッパ体２０（３０）が当接可能となり、作業者がストッパ体２０（３０）を押下して，そのストッパ体２０（３０）が没しているときには、当該ストッパ体２０（３０）の上方を可動キャビネット２が通過可能に構成されているものである。なお、ストッパ体２０（３０）を固定キャビネット１の出入面６に接近する側（出入面６に近い側）に設けた理由は、フロントデッキ３の前方から作業者が作業空間４に出入りする際に、作業者の足がストッパ体２０（３０）に躓いたり、作業中等において、作業者の足で不用意にストッパ体２０（３０）を押下しないようにするためである。
【００２８】
図１〜図７に示すように、安全装置５における第１実施例のストッパ体２０は、可動キャビネット２の移動方向に沿って延び、且つその延びる方向の寸法Ｌ２は任意の固定キャビネット１の各出入面６の横方向の寸法Ｌ１より短く形成されているものである。
【００２９】
実施例では、ストッパ体２０はＰＯＭ等の合成樹脂材にて形成されているが、金属などの他の材料であっても良い。ストッパ体２０の長手方向の両端には、ゴム材などからなる緩衝体２１がねじ２２止めなどにて固定されることが好ましい。ストッパ体２０の端部に可動キャビネット２が衝突したときに、両方の部材に傷や損傷を与えないためである。
【００３０】
そして、フロントデッキ３には、ストッパ体２０をその突出方向に付勢するためのバネなどからなる弾力付勢手段が配置されている。実施例では、図５に示すように、隣接する接地部材１３の間を、連結部材１４と平行状に連結された上向き開放状の下ケース２３に対してストッパ体２０が上下動可能に配置されている。そして、図７に示すように、ストッパ体２０の下面に凹み形成された取付け部２４（コイルばねの内径部に嵌まって位置決めするボス付き）と下ケース２３の底板２３ｂとの間に装架された圧縮コイルばね２５にて、ストッパ体２０を上向きに弾力付勢している。
【００３１】
他方、ストッパ体２０を略水平状にて上下動させるため、下ケース２３の一対の側板２３ａに上下長手のガイド溝２６が複数個所に穿設され、他方、ストッパ体２０の長手側面に対応する数のガイドピン２７を横向きに貫通固定させる。各ガイドピン２７が各ガイド溝２６に嵌挿された状態で上下動することにより、ストッパ体２０は略水平状にて上下動可能となる。
【００３２】
上記の構成により、例えば、図１のように、隣接する可動キャビネット２の間に作業空間４が形成されているときには、ストッパ体２０は圧縮コイルばね２５にて上向きに付勢され、ストッパ体２０の大部分の高さ部分がフロントデッキ３の上面から突出している。この状態では、可動キャビネット２のベース９などにおける移動方向端面（移動方向と直交する前端面または後端面をいう）が上記突出したストッパ体２０の緩衝体２１等に当接可能となる（図６、図７参照）。従って、それ以上に作業空間４が可動キャビネット２により狭まるのが阻止されるのである。
【００３３】
可動キャビネット２を移動させる場合には、作業者が上記ストッパ体２０の上面の一部分を押下する。そうすると、ストッパ体２０は略水平状にてフロントデッキ３の上面と実質的に同一平面状に沈む。その状態で、可動キャビネット２が沈み込んだストッパ体２０の上方を通過するように移動させるのである。ストッパ体２０の長手方向の一部が可動キャビネット２におけるベース９の下面の一部にて覆われると、ストッパ体２０の上面がベース９における移動方向に沿って長い下面板９ａに摺接し、それ以上のストッパ体２０の上向き突出は阻止されるから、可動キャビネット２の移動が許容される。このように、作業者がストッパ体２０を押下しないかぎり、通常の状態で、当該ストッパ体２０はフロントデッキ３の上面に突出して、可動キャビネット２の移動を阻止し、作業空間４が狭まるのを防止できるから、作業空間４内の作業者が可動キャビネット２により挟まれることがない。
【００３４】
なお、ストッパ体２０の長手方向の一部が可動キャビネット２におけるベース９の下面の一部にて覆われると、作業者はストッパ体２０から足を離せば良い。ストッパ体２０の上面にその長手方向に沿って延びる細い突条２０ａを形成しておけば、ベース９の下面板９ａとの摺接摩擦抵抗や摺接音を極めて少なくすることができ、快適に可動キャビネット２を移動させることができる。
【００３５】
ストッパ体２０は、各固定キャビネット１の出入面６を開放する個所（作業空間４）ごとに配置されている。即ち、図１に示すように、中間部のフロントデッキ３に安全装置５（ストッパ体２０）を設けると、その両側の可動キャビネット２，２が近づいて、作業空間４内の作業者が挟まれるのを防止できる。他方、側端部に位置するフロントデッキ３に安全装置５（ストッパ体２０）を設けることで（図５及び図６参照）、そのフロントデッキ３の端部に位置する壁面（不図示）に対して一方の可動キャビネット２が接近するのを防止して作業者の安全を確保できるのである。
【００３６】
図８〜図１０に示す、安全装置５における第２実施例のストッパ体３０は、それにおける可動キャビネット２の上述した移動方向端面への当接面３０ａがフロントデッキ３の上面に対して出没可能となるように横軸３１を介して回動可能に設けられている。そして、ストッパ体３０は、横軸３１を挟んで当接面３０ａ側と反対側の部位の重量による回転モーメントを、当接面３０ａ側の部位の重量による回転モーメントよりも大なるように形成されている。より具体的には、当接面３０ａ側の部位３３の内径側に貫通孔３２を穿設することにより（図１０参照）、当接面３０ａ側の部位の重量を軽くしている。他の実施例としては、ストッパ体３０をＰＯＭ等の合成樹脂材や金属材料で形成したのち、上記反対側の部位により比重の重い部材を埋め込むようにしても良い。第２実施例のストッパ体３０は回動型であるので小型化に適している。
【００３７】
このストッパ体３０でも、作業者がストッパ体３０における当接面３０ａ側の部位３３を押下しないかぎり、通常の状態で、当該ストッパ体２０はその当接面３０ａ側の部位３３がフロントデッキ３の上面に突出して、可動キャビネット２の移動を阻止することができる（図８、図９及び図１０の状態参照）。これにより、作業空間４が狭まるのを防止できるから、作業空間４内の作業者が可動キャビネット２により挟まれることがない。
【００３８】
そして、作業者がストッパ体３０における当接面３０ａ側の部位３３を押下すると、図１０の二点鎖線状態のように、ストッパ体３０はその部位３３が実質的に低い位置で水平になるようにフロントデッキ３の上面から沈み込むように回動する。この状態では、ストッパ体３０の当接面３０ａ側の部位３３の少なくとも一部が可動キャビネット２におけるベース９の下面の一部にて覆われると、当該部位３３の上面がベース９における移動方向に沿って長い下面板９ａに摺接し、それ以上のストッパ体３０の上向き突出は阻止されるから、可動キャビネット２の移動が許容される。しかして、ストッパ体３０の上記部位３３の一部が可動キャビネット２におけるベース９の下面の一部にて覆われると、作業者はストッパ体３０から足を離せば良い。
【００３９】
第２実施例では、図８に示すように、中間部の作業空間４では、フロントデッキ３に一対のストッパ体３０を互いに当接面３０ａ側を反対向きにして、且つ適宜隔てて設けることにより、その両側の可動キャビネット２，２が近づいて、作業空間４内の作業者が挟まれるのを防止できる。他方、側端部に位置するフロントデッキ３の端部に位置する壁面（不図示）に対して一方の可動キャビネット２が接近するのを防止するには、壁面（不図示）から離れた側のフロントデッキ３の端部にストッパ体３０を設けることで（図８及び図９参照）、作業者の安全を確保できるのである。
【００４０】
本発明の安全装置５は、前述の手動によるスライド型キャビネットに限らず、電動式移動棚装置にも同様に適用することが可能である。
【符号の説明】
【００４１】
１  固定キャビネット
２  可動キャビネット
３  フロントデッキ
３Ａ  前フロントデッキ
３Ｂ  後フロントデッキ
４  作業空間
５  安全装置
６  出入面
７  レール                                                                      ９  ベース
１０  転子
１２  連結部材
１３  接地部材
２０、３０    ストッパ体
２１  緩衝体
２３  下ケース
２５  圧縮コイルばね
３１  横軸
３３  部位
【図１】
2010279645.tif 000003
【図２】
2010279645.tif 000004
【図３】
2010279645.tif 000005
【図４】
2010279645.tif 000006
【図５】
2010279645.tif 000007
【図６】
2010279645.tif 000008
【図７】
2010279645.tif 000009
【図８】
2010279645.tif 000010
【図９】
2010279645.tif 000011
【図１０】
2010279645.tif 000012